(57)【要約】【課題】陳列物品を正面から見て斜め方向に掛けることにより、より多くの品目を陳列できるといった、陳列スペースの有効利用を可能とする。【解決手段】陳列用フックの上部に、斜め方向に等間隔に段差をつけることにより、陳列物品を正面から見て斜めに、容易に整列させて掛けられる。【選択図】図１
2005007137.tif 000002
【特許請求の範囲】
【請求項１】
陳列用フックの上部に、斜め方向に段差をつけることにより、陳列物品を正面から見て斜めに掛けられるので、陳列スペースを有効に活用できるようにした陳列用フック。
【発明の詳細な説明】
【技術分野】
【０００１】  本発明は、フックの上部に、斜め方向に段差をつけ、陳列物品を正面から見て斜めに掛けられるようにした陳列用フックに関するものである。
【背景技術】
【０００２】  従来の陳列用フックは、横断面が単純な丸い形の陳列用フックが多く使われてきた結果、陳列物品は正面に向けて陳列される事が多い。【０００３】  しかし、正面を向けて陳列すると幅の広い物品は陳列スペースを広く取ってしまうため多くの品目を陳列用フックに掛ける事ができないという欠点があった。【０００４】  陳列スペースの有効活用という点に関して、正面を向けて陳列用フックに物品を陳列することは大きな障害であった。【０００５】  この改善策として、陳列用フックの上部に、斜め方向に段差をつける方法がある。
図１はこの方法による陳列用フックの説明図である。１はフックに物品が掛かる部分、２は段差の凸部分、３は段差の凹部分である。
【図２】
はこの方法による陳列用フックの縦断面図である。１〜３は図１と同様である。
【図３】
はこの方法による陳列用フックの平面図である。１〜３は図１と同様である。
【発明の開示】
【発明が解決しようとする課題】
【０００６】  解決しようとする問題点は、物品を陳列用フックに陳列する際に、正面を向けて陳列すると、陳列スペースを広く取ってしまい、より多くの品目を陳列用フックに掛ける事ができない、という点である。【０００７】  本発明は、陳列スペースを有効に活用するため、多くの手間を掛けずに陳列物品を斜めに掛けられるようにしたことを最も主要な特徴とする。
【発明の効果】
【０００８】  本発明の陳列用フックは、陳列物品を上部から見て斜めに掛けられるようにしたので、正面に向けて陳列した場合と比べてより多くの品目を陳列でき、陳列スペースをより有効に活用できるという利点がある。
【発明を実施するための最良の形態】
【０００９】  陳列スペースの有効活用という目的を、陳列用フックの外寸を変えずに、陳列用フックの上部に、斜め方向に段差をつけることによって実現した。
【実施例１】
【００１０】  図１は、本発明の１実施例の説明図である。
【産業上の利用可能性】
【００１１】  陳列用フックの上部に、斜め方向に段差をつけることによって、陳列物品を手間をかけずに斜めに掛けられるので、より多くの品目を陳列用フックに掛ける事ができ、陳列スペースの有効に活用できる。
【図面の簡単な説明】
【００１２】
【図１】陳列用フックの実施例を示した説明図である。
【図２】陳列用フックの実施例の縦断面図である。１〜３は図１と同様である。
【図３】陳列用フックの実施例の平面図である。１〜３は図１と同様である。
【符号の説明】
【００１３】１    フックに物品が掛かる部分
２    段差の凸部分
３    段差の凹部分
【図１】
2005007137.tif 000003
【図２】
2005007137.tif 000004
【図３】
2005007137.tif 000005
【手続補正書】
【提出日】平成15年8月25日(2003.8.25)
【手続補正１】
【補正対象書類名】特許請求の範囲
【補正対象項目名】請求項２
【補正方法】追加
【補正の内容】
【請求項２】
陳列用フックの上部に、等間隔に一定方向に段差をつけることにより、陳列物品を容易に整列させて陳列できる陳列用フック。
【手続補正２】
【補正対象書類名】明細書
【補正対象項目名】全文
【補正方法】変更
【補正の内容】
【発明の詳細な説明】
【技術分野】
【０００１】  本発明は、フックの上部に、斜め方向に等間隔に段差をつけ、陳列物品を正面から見て斜め方向に整列させて掛けやすくした陳列用フックに関するものである。
【背景技術】
【０００２】  従来の陳列用フックは、横断面が単純な丸い形の陳列用フックが多く使われてきた結果、陳列物品は正面に向けて陳列される事が多い。【０００３】  しかし、正面を向けて陳列すると幅の広い物品は陳列スペースを広く取ってしまうため多くの品目を陳列用フックに掛ける事ができないという欠点があった。【０００４】  陳列スペースの有効活用という点に関して、正面を向けて陳列用フックに物品を陳列することは大きな障害であった。【０００５】  この改善策として、陳列用フックの上部に、斜め方向に等間隔に段差をつける方法がある。
図１はこの方法による陳列用フックの説明図である。１はフックに物品が掛かる部分、２は段差の凸部分、３は段差の凹部分である。
【図２】
はこの方法による陳列用フックの縦断面図である。１〜３は図１と同様である。
【図３】
はこの方法による陳列用フックの平面図である。１〜３は図１と同様である。
【発明の開示】
【発明が解決しようとする課題】
【０００６】  解決しようとする問題点は、物品を陳列用フックに陳列する際に、正面を向けて陳列すると、陳列スペースを広く取ってしまい、より多くの品目を陳列用フックに掛ける事ができない、という点である。【０００７】  本発明は、陳列スペースを有効に活用するため、多くの手間を掛けずに陳列物品を斜めに整列させて掛けられるようにしたことを最も主要な特徴とする。
【発明の効果】
【０００８】  本発明の陳列用フックは、陳列物品を上部から見て斜めに整列しやすく掛けられるようにしたので、正面に向けて陳列した場合と比べてより多くの品目を陳列でき、陳列スペースをより有効に活用できるという利点がある。
【発明を実施するための最良の形態】
【０００９】  陳列スペースの有効活用という目的を、陳列用フックの外寸を変えずに、陳列用フックの上部に、斜め方向に等間隔に段差をつけることによって実現した。
【実施例１】
【００１０】  図１は、本発明の１実施例の説明図である。
【産業上の利用可能性】
【００１１】  陳列用フックの上部に、斜め方向に等間隔に段差をつけることによって、陳列物品を手間をかけずに斜めに整列させて掛けられるので、より多くの品目を陳列用フックに掛ける事ができ、陳列スペースの有効に活用できる。
【手続補正３】
【補正対象書類名】図面
【補正対象項目名】全図
【補正方法】変更
【補正の内容】
【図１】
2005007137.tif 000006
【図２】
2005007137.tif 000007
【図３】
2005007137.tif 000008
【手続補正書】
【提出日】平成15年12月20日(2003.12.20)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
陳列用フックの上部に、斜め方向に段差をつけることにより、陳列物品を正面から見て斜めに掛けられるので、陳列スペースを有効に活用できるようにした陳列用フック。
【請求項２】
陳列用フックの上部に、等間隔に一定方向に段差をつけることにより、陳列物品を容易に整列させて陳列できる陳列用フック。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  本発明は、フックの上部に、斜め方向に等間隔に段差をつけ、陳列物品を正面から見て斜め方向に整列させて掛けやすくした陳列用フックに関するものである。
【背景技術】
【０００２】  従来の陳列用フックは、横断面が単純な丸い形の陳列用フックが多く使われてきた結果、陳列物品は正面に向けて陳列される事が多い。【０００３】  しかし、正面を向けて陳列すると幅の広い物品は陳列スペースを広く取ってしまうため多くの品目を陳列用フックに掛ける事ができないという欠点があった。【０００４】  陳列スペースの有効活用という点に関して、正面を向けて陳列用フックに物品を陳列することは大きな障害であった。【０００５】  この改善策として、陳列用フックの上部に、斜め方向に等間隔に段差をつける方法がある。
図１はこの方法による陳列用フックの説明図である。１はフックに物品が掛かる部分、２は段差の凸部分、３は段差の凹部分である。
【図２】
はこの方法による陳列用フックの縦断面図である。１〜３は図１と同様である。
【図３】
はこの方法による陳列用フックの平面図である。１〜３は図１と同様である。
【発明の開示】
【発明が解決しようとする課題】
【０００６】  解決しようとする問題点は、物品を陳列用フックに陳列する際に、正面を向けて陳列すると、陳列スペースを広く取ってしまい、より多くの品目を陳列用フックに掛ける事ができない、という点である。【０００７】  本発明は、陳列スペースを有効に活用するため、多くの手間を掛けずに陳列物品を斜めに整列させて掛けられるようにしたことを最も主要な特徴とする。
【発明の効果】
【０００８】  本発明の陳列用フックは、陳列物品を上部から見て斜めに整列しやすく掛けられるようにしたので、正面に向けて陳列した場合と比べてより多くの品目を陳列でき、陳列スペースをより有効に活用できるという利点がある。
【発明を実施するための最良の形態】
【０００９】  陳列スペースの有効活用という目的を、陳列用フックの外寸を変えずに、陳列用フックの上部に、斜め方向に等間隔に段差をつけることによって実現した。
【実施例１】
【００１０】  図１は、本発明の１実施例の説明図である。
【産業上の利用可能性】
【００１１】  陳列用フックの上部に、斜め方向に等間隔に段差をつけることによって、陳列物品を手間をかけずに斜めに整列させて掛けられるので、より多くの品目を陳列用フックに掛ける事ができ、陳列スペースの有効に活用できる。
【図面の簡単な説明】
【００１２】
【図１】陳列用フックの実施例を示した説明図である。
【図２】陳列用フックの実施例の縦断面図である。１〜３は図１と同様である。
【図３】陳列用フックの実施例の平面図である。１〜３は図１と同様である。
【符号の説明】
【００１３】  １    フックに物品が掛かる部分
２    段差の凸部分
３    段差の凹部分